(57)【特許請求の範囲】
【請求項１】
屋根の棟部に設けられた換気口を覆う棟カバー片と、この棟カバー片の両側端縁からそれぞれ下方に延出する棟側防水片と、各棟側防水片の下端から棟部の両側の屋根の傾斜に沿う角度で外側斜め下方に延出する固定片と、各固定片の端縁から上方に延出する立ち上げ片と、この立ち上げ片の上端縁から外側方に延出する軒側防水片とを具備し、前記棟側防水片と軒側防水片とに、それぞれ通気孔が設けられ、前記軒側防水片の端縁から上方に延出する棟包保持片が設けられていることを特徴とする棟換気用構造材。
【請求項２】
上記棟側防水片の通気孔の外側方に対向して配置される防水カバー片を備えるカバー部材が一体に設けられていることを特徴とする請求項１に記載の棟換気用構造材。
【請求項３】
上記立ち上げ片に水抜孔が設けられていることを特徴とする請求項１又は２に記載の棟換気用構造材。
【請求項４】
上記棟包保持片の基端から外側方に延出するストッパ片が設けられていることを特徴とする請求項１乃至３のいずれか一項に記載の棟換気用構造材。
【請求項５】
上記棟側防水片の通気孔と軒側防水片の通気孔とが、軒棟方向に重ならない位置に設けられていることを特徴とする請求項１乃至４のいずれか一項に記載の棟換気用構造材。
【発明の詳細な説明】
【技術分野】
【０００１】
本発明は、屋根に換気棟を形成するために使用される棟換気用構造材に関する。
【背景技術】
【０００２】
従来、屋根裏の換気を行うことにより、湿気を防いで家屋の寿命を長く保持するため、屋根の棟部にはしばしば換気棟と呼ばれるものが設けられている。この換気棟は、例えば金属薄板を折り曲げ加工して棟部に沿うように山形に形成されており、この換気棟にて屋根の棟部に設けられた換気口を覆うようにしている。この換気棟には前記換気口に連通する通気孔が設けられており、これにより屋根裏の内外の換気を確保している。
【０００３】
しかしながら、単に通気孔を換気棟に設けたのでは、強風時の横風等によりこの通気孔を通じて屋内に雨水等が浸入してしまうおそれがある。このように通気孔を通じて雨水等が屋内に浸入すると、逆に家屋の寿命を縮めてしまうことになる。このため、換気棟を設けるにあたっては、屋根裏の内外の空気の流通を確保すると共に、雨水の流入を防止する必要がある。
【０００４】
このため、例えば図５に示す例では、棟木１５、垂木１６、野地１７、屋根材１９等を組み合わせた屋根側に複数の遮蔽板２６を有する部材２５を設けると共に、これを覆う棟包１２の天井面にも遮蔽板２６を立設し、この棟包１２の上面に通気孔２７を設けることで、換気棟内に複雑な空気の経路を形成し、屋内外の空気の流通を確保すると共に、雨水等の流入を防止するようにしている。
【０００５】
また、特許文献１では、更に通気孔を換気棟の側部に設けることで雨水等の浸入を防止するようにしたものが開示されており、また、特許文献２では通気孔を多孔質の部材にて形成することで雨水等が浸入しにくくなるようにしたものが開示されている。
【特許文献１】特開２００４−２５７１９６号公報
【特許文献２】特開２００６−３１６４４７号公報
【発明の開示】
【発明が解決しようとする課題】
【０００６】
しかし、上記のような従来技術では、換気棟を形成するための部材が複雑化し、またそのために換気棟の設置作業も繁雑なものとなってしまうという問題があった。
【０００７】
本発明は上記の点に鑑みて為されたものであり、簡易な構造で換気棟を容易に形成し、且つこの換気棟を通じた屋内への雨水等の浸入を効果的に防止することができる棟換気用構造材を提供することを目的とする。
【課題を解決するための手段】
【０００８】
本発明の棟換気用構造材Ａは、屋根の棟部に設けられた換気口１４を覆う棟カバー片１と、この棟カバー片１の両側端縁からそれぞれ下方に延出する棟側防水片２と、各棟側防水片２の下端から棟部の両側の屋根の傾斜に沿う角度で外側斜め下方に延出する固定片３と、各固定片３の端縁から上方に延出する立ち上げ片４と、この立ち上げ片４の上端縁から外側方に延出する軒側防水片５とを具備し、前記棟側防水片２と軒側防水片５とに、それぞれ通気孔６，７が設けられ、前記軒側防水片５の端縁から上方に延出する棟包保持片１１が設けられていることを特徴とする。
【０００９】
本発明にあって、上記棟側防水片２の通気孔６の外側方に対向して配置される防水カバー片９を備えるカバー部材８が一体に設けられていることが好ましい。
【００１０】
本発明にあって、上記立ち上げ片４に水抜孔１０が設けられていることが好ましい。
【００１２】
本発明にあって、上記棟包保持片１１の基端から外側方に延出するストッパ片２８が設けられていることが好ましい。
【００１３】
本発明にあって、上記棟側防水片２の通気孔６と軒側防水片５の通気孔７とが、軒棟方向に重ならない位置に設けられていることが好ましい。
【発明の効果】
【００１４】
本発明によれば、この棟換気用構造材Ａは簡易な構造を有して製造が容易なものであり、またこの棟換気用構造材Ａの固定片３を屋根の頂部の換気口１４の両側に固定した後、棟包１２を棟換気用構造材Ａを覆うように設置することで、換気棟を容易に形成することができる。この棟換気用構造材Ａにて形成される換気棟は、換気口１４が棟側防水片２の通気孔６を介して棟換気用構造材Ａと棟包１２との間の空間と連通し、この空間が軒側防水片５の通気孔７を介して屋外に連通しており、この換気口１４から屋外に至る空気の経路にて屋内外の換気を行うことができるものであり、またこの空気の経路において屋外側に開口する軒側防水片５の通気孔７は、屋根の上面に対向して配置される軒側防水片５において下方に向けて屋外側に開口することから、雨水等はこの通気孔７から内部に浸入しにくく、仮に浸入しても、この雨水等が棟側防水片２の通気孔６まで至るのは困難となって、屋内への雨水の浸入を効果的に防止することができるものである。また同時に使用される棟包１２には遮蔽板等を設ける必要はなく、またこの棟包１２としては棟換気用構造材Ａを覆うように設置できるものであれば適宜のものを採用することができて屋根の外観設計の自由度を向上することができるものである。
また、本発明によれば、棟包１２を棟包保持片１１に固定することで棟包１２を容易に設置することができ、このとき棟包１２の端縁と屋根上面との間に隙間があくように設置することで空気の経路を形成することができるものである。
【００１５】
本発明では、上記棟側防水片２の通気孔６の外側方に対向して配置される防水カバー片９を備えるカバー部材８が一体に設けられている場合は、棟側防水片２の通気口を防水カバー片９にて遮蔽することができ、雨水等が防水カバー片９と棟側防水片２との間に浸入して更に通気孔６へと浸入することが非常に困難となって、換気棟の防水性を更に向上することができる。
【００１６】
本発明では、上記立ち上げ片４に水抜孔１０が設けられている場合は、仮に雨水等が軒側防水片５の通気孔７を通過しても、この雨水等を水抜孔１０から屋外に排水することができる。
【００１８】
本発明では、上記棟包保持片１１の基端から外側方に延出するストッパ片２８が設けられている場合は、棟包１２の端縁が棟包保持片１１よりも下方に配置されることをストッパ片２８により防止することができ、このため棟包１２の端縁と屋根上面との間に隙間を確実に確保して空気の経路を形成することができるものであり、且つ、前記空気の経路を形成するための棟包１２の設置作業が容易なものとなる。
【００１９】
本発明では、上記棟側防水片２の通気孔６と軒側防水片５の通気孔７とが、軒棟方向に重ならない位置に設けられている場合は、仮に雨水等が軒側防水片５の通気孔７から内部に浸入しても、この雨水等が棟側防水片２の通気孔６に到達しにくくなり、防水性が更に向上するものである。
【発明を実施するための最良の形態】
【００２０】
以下、本発明を実施するための最良の形態について説明する。
【００２１】
図２（ａ）〜（ｄ）に棟換気用構造材Ａの一例を示す。尚、図２（ｂ）〜（ｄ）は後述するカバー部材８の図示を省略している。
【００２２】
この棟換気用構造材Ａは、例えば一枚の金属製等の板材に対して折り曲げ加工を施した折板材にて形成することができる。
【００２３】
図示のように棟換気用構造材Ａは、上方に突出する断面山形状の棟カバー片１を有するが、棟カバー片１の形状は特にこのようなものに限られない。この棟カバー片１の両側の端縁からは下方に向けて棟側防水片２が延出されている。この棟側防水片２の下端縁からは、固定片３が外側斜め下方に傾斜する方向に延出されている。固定片３の傾斜角度は、この棟換気用構造材Ａが設置される屋根の傾斜に沿った角度とする。また、各固定片３の外側の端縁からは上方に向けて立ち上げ片４が延出されている。立ち上げ片４の立ち上がり寸法は、前記棟側防水片２と比べて小さくなるように形成されている。この立ち上げ片４の上端からは外側方に向けて軒側防水片５が延出されている。このとき軒側防水片５は、前記固定片３と同様に、この棟換気用構造材Ａが設置される屋根の傾斜に沿って傾斜している。この軒側防水片５の外側の端縁からは上方に向けて棟包保持片１１が延出されている。
【００２４】
また、上記棟側防水片２には、通気孔６が穿設されている。図示の例では通気孔６は棟側防水片２の上部に設けられている。またこの通気孔６は棟側防水片２の長手方向（軒棟方向と直交する方向）に沿って、間隔をあけて複数個設けられている。
【００２５】
また、上記軒側防水片５にも、通気孔７が穿設されている。図示の例では通気孔７は軒側防水片５の外側部に設けられている。またこの通気孔７は軒側防水片５の長手方向（軒棟方向と直交する方向）に沿って、間隔をあけて複数個設けられている。
【００２６】
ここで、棟側防水片２の通気孔６と軒側防水片５の通気孔７とは、図２（ｂ）（ｃ）に示すように軒棟方向に重ならない位置に設けられている。すなわち、棟側防水片２の通気孔６の外側方においては軒側防水片５には通気孔７が設けられておらず、軒側防水片５の通気孔７の内側方においては棟側防水片２には通気孔６は設けられていない。尚、この場合、棟側防水片２の通気孔６と軒側防水片５の通気孔７は図２（ａ）の断面に同時に現れることはないが、この図２（ａ）では便宜上、通気孔６，７を同一断面に示している。
【００２７】
また、上記立ち上げ片４には水抜孔１０が設けられている。水抜孔１０は立ち上げ片４の長手方向（軒棟方向と直交する方向）に沿って、間隔をあけて複数個設けられている。
【００２８】
また、この換気用構造材には、カバー部材８が一体に設けられている。このカバー部材８も、例えば一枚の金属製等の板材に対して折り曲げ加工を施した折板材にて形成することができる。カバー部材８は、固定片１３の一端縁から防水カバー片９を延出した断面Ｌ字状に形成されている。固定片１３を棟カバー片１の両側部それぞれに、例えばリベット等の適宜の固着具にて固着して固定する。このとき固定片１３の側縁部は防水カバー片９よりも外側方に若干突出し、この側端縁から延出した防水カバー片９が棟側防水片２と間隔をあけて対向するように配置されるようにする。防水カバー片９は棟側防水片２の通気孔６の外側方に対向して配置される。
【００２９】
また、カバー部材８は、図２（ｅ）に示すように、固定片１３を棟カバー片１と合致する形状に形成すると共にその両側の端縁からそれぞれ防水カバー片９を延出したものであっても良い。この場合、固定片１３を棟カバー片１の外面に配置した状態で例えばリベット等の適宜の固着具にて固着して固定する。このとき固着片の両側の側縁部は防水カバー片９よりも外側方に若干突出し、この各側端縁から延出した防水カバー片９が各棟側防水片２と間隔をあけて対向するように配置されるようにする。このとき、各棟側防水片２の通気孔６の外側方に対向して各防水カバー片９が配置される。
【００３０】
図１は、上記棟換気用構造材Ａを用いて構成される換気棟の例を示す。
【００３１】
図示の例では、棟木１５と垂木１６及び野地１７を組み合わせた屋根において、野地１７の上に防水シート１８を介して屋根材１９を設置しているが、この屋根の頂部に屋根裏に連通する換気口１４が形成されている。換気口１４の内側では、固定片２１と立設片２２とを有する断面略く字状の捨水切２０が、その固定片２１が野地１７と屋根材１９との間に介在すると共に立設片２２が換気口１４の内側でその内側面に沿って上方に延出するように設けられている。
【００３２】
棟換気用構造材Ａは、換気口１４の上部開口の両側にそれぞれ棟換気用構造材Ａの固定片３が配置されるようにして換気口１４を跨ぐように配置され、シーラ２３を介して各固定片３を屋根材１９にビス等の固着具２４で固定することで設置されている。シーラ２３は固定片３と屋根材１９との間の防水を行うと共に、屋根の凹凸形状を埋めて固定片３が屋根材１９上に安定して配置されるようにするために設けられている。
【００３３】
このように棟換気用構造材Ａを設置した状態では、棟カバー片１が換気口１４の上方に配置されてこの換気口１４を覆い、また棟側防水片２が棟カバー片１と換気口１４の開口縁との間を塞ぐように配置される。また、軒側防水片５は屋根材１９に沿ってこの屋根材１９の上方に間隔をあけて配置される。
【００３４】
この棟換気用構造材Ａに棟包１２が設置される。棟包１２は棟換気用構造材Ａの全体を覆うように配置される。棟包１２の両側の側端部は棟換気用構造材Ａの棟包保持片１１の外側に配置され、この棟包１２の側端部がビス等の固着具２４で棟包保持片１１に固定されることで、棟包１２が屋根の頂部に設置される。このとき棟包１２の側部の端縁と屋根材１９の上面との間には隙間が形成されるようにすることで、空気の流路を確保している。棟包１２はこのように屋根の頂部に設置され、棟換気用構造材Ａの棟包保持片１１に固定できるものであれば、特に制限されることなく適宜の形状、材質のものを用いることができる。
【００３５】
このようにして構成される換気棟では、換気口１４が棟側防水片２の通気孔６を介して棟換気用構造材Ａと棟包１２との間の空間と連通し、この空間が軒側防水片５の通気孔７を介して屋外に連通しており、これにより換気口１４から屋外に至る空気の経路が形成されている。このため屋内外の換気を行うことができる。
【００３６】
また、この空気の経路において屋外側に開口する軒側防水片５の通気孔７は、屋根材１９に対向して配置される軒側防水片５において下方に向けて屋外側に開口しているため、雨水等はこの通気孔７から内部に浸入しにくいものであり、また仮にこの通気孔７を通じて雨水等が浸入しても、この雨水等が棟側防水片２の上部に設けられた通気孔６まで至るのは困難であり、このため屋内への雨水の浸入が効果的に防止される。また本実施形態では防水カバー片９を設けているため、雨水等がこの防水カバー片９と棟側防水片２との間に浸入して更に通気孔６へと浸入することは非常に困難になっており、換気棟の防水性が更に向上している。更には、既述の通り棟側防水片２の通気孔６と軒側防水片５の通気孔７とは、互いに軒棟方向に重ならない位置に設けられているため、雨水等が軒側防水片５の通気孔７を通過しても、それが棟側防水片２の通気孔６にまで至ることは更に困難なものとなっている。
【００３７】
また、軒側防水片５の通気孔７を雨水等が浸入した場合には、その雨水等は固定片３の上に溜まり、立ち上げ片４に設けられた水抜孔１０から屋外に排水することができる。
【００３８】
尚、仮に雨水等が棟側防水片２の通気孔６を通過したり、或いは固定片３と屋根材１９との間を雨水等が通過したりしても、この雨水等は捨水切２０に受け止められて水切がなされるようになっている。
【００３９】
このように棟換気用構造材Ａにて構成された換気棟は、優れた換気性能と防水性能とを有している。しかもこの換気棟は、簡易な構造を有する棟換気用構造材Ａを用いて形成することができ、且つその施工作業も棟換気用構造材Ａの固定片３を屋根の頂部の換気口１４の両側に固定した後、棟包１２を棟換気用構造材Ａの棟包保持片１１に固定するだけであって、施工作業も簡便なものである。
【００４０】
また、この棟換気用構造材Ａは棟包１２と組み合わせて換気棟を構成するものであるが、棟包１２としては上記のように棟換気用構造材Ａに固定されるものであれば適宜のものを採用することができ、この棟包１２には換気棟内の空気の経路を複雑化させるための遮蔽板等を設ける必要もない。このため、建物の屋根材１９等の外観に合わせた適宜の棟包１２を用いることが可能になり、屋根の外観設計の自由度が高いものとなる。
【００４１】
図４は、棟換気用構造材Ａの他の例を示す。この棟換気用構造材Ａは、図２（ａ）〜（ｄ）に示す棟換気用構造材Ａにおいて、更にストッパ片２８を設けたものである。
【００４２】
このストッパ片２８は、棟包保持片１１の基端から外側方に向けて延出するように形成されている。このとき、棟包保持片１１は軒側防水片５の外側の端縁から上方に向けて延出する裏片１１ａと、この裏片１１ａの上端縁から外側方に折り返されてこの裏片１１ａと重なるように下方に向けて延出する表片１１ｂとで構成される。そして、この表片１１ｂの端縁からストッパ片２８が外側方に向けて延出されている。このとき、ストッパ片２８は、固定片３及び軒側防水片５と同様に、棟換気用構造材Ａが設置される屋根の傾斜に沿って傾斜しており、軒側防水片５と面一に形成されている。また、棟カバー片１の裏面には、発泡ポリエチレン樹脂等で形成される防露材３７が設けられている。他の構成は、図２（ａ）〜（ｄ）に示す棟換気用構造材Ａと同様である。尚、図２（ａ）〜（ｄ）に示すものと同様に、図４に示す例でも棟側防水片２の通気孔６と軒側防水片５の通気孔７とは軒棟方向に重ならない位置に設けられているが、図２（ａ）の場合と同様、図４でも便宜上、通気孔６，７を同一断面に示している。
【００４３】
図３は、図４に示す棟換気用構造材Ａを用いて構成される換気棟の例を示す。
【００４４】
図示の例では、棟木１５と垂木１６及び野地１７を組み合わせた屋根において、野地１７の上にアスファルトルーフィング等の防水シート１８を介して屋根材１９を設置しているが、このとき屋根材１９として金属製の板材を立体的に成形して得られる金属屋根材２９と、笠木３０，３１とが設置されている。金属屋根材２９と野地１７との間には、この金属屋根材２９の変形防止のために、バックアップ材３２が設置されている。また、一方の笠木３０（下笠木３０）は、野地１７の棟側の端部上に設置されている。この下笠木３０は金属屋根材２９と略同一の厚みを有し、この下笠木３０よりも軒側に設置された金属屋根材２９と接するように設置されている。また、他方の笠木３１（上笠木３１）は、下笠木３０の上面から、この下笠木３０に軒側で隣接する金属屋根材２９の棟側端部の上面に亘って設けられている。このとき、上笠木３１と、金属屋根材２９の軒側端部の上面との間には、シーラ３２（エプトシーラ等）が介在している。このシーラ３２によって上笠木３１と金属屋根材２９との間の防水を行うと共に、金属屋根材２９の凹凸形状を埋めて上笠木３１が安定して配置されるようにしている。
【００４５】
また、上笠木３１には板材を成形して成る水切体３３が設置されている。水切体３３は、上笠木３１の上面及び軒側端面を覆う固定片３４、この固定片３４の軒側端縁から軒側に延出される垂片３５、固定片３４の棟側端縁から棟側に延出し、更に上方に向かって断面Ｌ字状に延出された受片３６とを具備する。垂片３５の軒側の端縁は、金属屋根材２９の上面に当接している。この水切体３３の固定片３４は、上笠木３１の軒側端面においてビス等の固着具２４にて固定されている。
【００４６】
この屋根には、頂部において両側の野地１７間、及び笠木３０，３１間の間隔をあけることにより、屋根裏に連通する換気口１４が形成されている。
【００４７】
棟換気用構造材Ａは、換気口１４の上部開口の両側にそれぞれ棟換気用構造材Ａの固定片３が配置されるようにして換気口１４を跨ぐように配置され、シーラ２３を介して各固定片３を、水切体３３が設けられている上笠木３１上にビス等の固着具２４で固定することで設置されている。このとき前記シーラ２３により固定片３と上笠木３１との間の防水がなされている。
【００４８】
このように棟換気用構造材Ａを設置した状態では、棟カバー片１が換気口１４の上方に配置されてこの換気口１４を覆い、また棟側防水片２が棟カバー片１と換気口１４の開口縁との間を塞ぐように配置される。また、軒側防水片５及びストッパ片２８は上笠木３１に沿ってこの上笠木３１の上方に間隔をあけて配置される。
【００４９】
この棟換気用構造材Ａに棟包１２が設置される。棟包１２は棟換気用構造材Ａの全体を覆うように配置される。棟包１２の両側の側端部は棟換気用構造材Ａの棟包保持片１１の外側に配置され、この棟包１２の側端部がビス等の固着具２４で棟包保持片１１に固定されることで、棟包１２が屋根の頂部に設置される。この棟包１２は図１に示すものとは異なる形状を有し、凸曲面からなる外観を有している。
【００５０】
このとき、棟包１２の両側の端縁の位置は、ストッパ片２８によって規制される。このため、棟包１２の両側の端縁と水切体３３で覆われた上笠木３１との間には隙間が確保され、空気の流路が確保される。
【００５１】
このようにして構成される換気棟でも、図１に示すものと同様に屋内外の換気を行うと共に、屋内への雨水の浸入が効果的に防止される。尚、仮に雨水等が棟側防水片２の通気孔６を通過したり、或いは固定片３と屋根材１９との間を雨水等が通過したりしても、この雨水等は水切体３３の受片３６に受け止められて水切がなされるようになっている。
【００５２】
このような棟換気用構造材Ａにて構成された換気棟についても、図１に示すものと同様、優れた換気性能と防水性能とを有し、簡易な構造を有する棟換気用構造材Ａを用いて形成することができ、その施工作業も棟換気用構造材Ａの固定片３を屋根の頂部の換気口１４の両側に固定した後、棟包１２を棟換気用構造材Ａの棟包保持片１１に固定するだけであって、施工作業も簡便なものである。また、建物の屋根材１９等の外観に合わせた適宜の棟包１２を用いることが可能になり、屋根の外観設計の自由度が高いものとなる。
【００５３】
更に、棟換気用構造材Ａがストッパ片２８を有していることから、棟包１２の端縁が棟包保持片１１よりも下方に配置されることをストッパ片２８により防止することができ、このため棟包１２の端縁と屋根上面との間に隙間を確実に確保して空気の経路を形成することができるものであり、且つ、前記空気の経路を形成するための棟包１２の設置作業が容易なものとなる。
【図面の簡単な説明】
【００５４】
【図１】本発明に係る棟換気用構造材を用いて構成される換気棟の一例を示す断面図である。
【図２】（ａ）は同上の棟換気用構造材の一例を示す断面図、（ｂ）は（ａ）のカバー部材を省略した平面図、（ｃ）は（ａ）のカバー部材を省略した側面図、（ｄ）は（ａ）のカバー部材を省略したイ方向矢視図、（ｅ）は棟換気用構造材の他例を示す断面図である。
【図３】本発明に係る棟換気用構造材を用いて構成される換気棟の他例を示す断面図である。
【図４】同上の棟換気用構造材の一例を示す断面図である。
【図５】従来の換気棟の構成の例を示す断面図である。
【符号の説明】
【００５５】
Ａ    棟換気用構造材
１    棟カバー片
２    棟側防水片
３    固定片
４    立ち上げ片
５    軒側防水片
６    通気孔
７    通気孔
８    カバー部材
９    防水カバー片
１０  水抜孔
１１  棟包保持片
１４  換気口
２８  ストッパ片
【図１】
0005237615.tif 000002
【図２】
0005237615.tif 000003
【図３】
0005237615.tif 000004
【図４】
0005237615.tif 000005
【図５】
0005237615.tif 000006